(57)【要約】【課題】  書籍等の見開き原稿を歪みなく、より速く、かつ原稿をいためることなく読み取る画像読取装置を提供する。【解決手段】  原稿載置ガラス２，３に載置された原稿２０の画像を読み取る画像読取装置１に、一方の原稿載置ガラス２の一辺と他方の原稿載置ガラス３の一辺とが当接又は近接され、一方の原稿載置ガラス２と他方の原稿載置ガラス３とは画像読取装置の外側に凸となる角度をつくる２枚の原稿載置ガラス２，３と、原稿載置ガラス２，３の走査ラインに対して光を照射する発光部６（６１，６３）と、前記発光部の照射した光の原稿からの反射光を読み取る受光部６（６２，６４）とを備える。【選択図】  図１
2005221559.tif 000002
【特許請求の範囲】
【請求項１】
原稿載置ガラスに載置された原稿の画像を読み取る画像読取装置において、
第１の原稿載置ガラスの一辺と第２の原稿載置ガラスの一辺とが当接又は近接され、第１の原稿載置ガラスと第２の原稿載置ガラスとは１８０度未満の角度をつくって備えられる２枚の原稿載置ガラスと、
前記原稿載置ガラスの走査ラインに対して光を照射する発光手段と、
前記発光手段の照射した光の原稿からの反射光を読み取る受光手段とを備えることを特徴とする画像読取装置。
【請求項２】
前記発光手段及び前記受光手段は、画像読取装置の内部を、前記第１の原稿載置ガラスの副走査ラインと略平行に移動した後、前記第２の原稿載置ガラスの副走査ラインと略平行に移動する１つの筐体に設けられることを特徴とする請求項１に記載の画像読取装置。
【請求項３】
前記筐体は、前記第１の原稿載置ガラスを走査するための前記発光手段及び前記受光手段、並びに前記第２の原稿載置ガラスを走査するための前記発光手段及び前記受光手段とを備えることを特徴とする請求項２に記載の画像読取装置。
【請求項４】
前記筐体は、前記第１の原稿載置ガラスに対する走査を終了した後、前記第２の原稿載置ガラスに対する走査に応じた角度に回転可能に設けられることを特徴とする請求項２又は３に記載の画像読取装置。
【請求項５】
前記発光手段及び前記受光手段を共に備える筐体を２つ移動可能に備え、
前記２つの筐体はそれぞれ前記第１及び第２の原稿載置ガラスを走査することを特徴とする請求項１に記載の画像読取装置。
【請求項６】
前記第１の原稿載置ガラスの一辺に隣接させて、上に開いた空洞部を有し、前記第２の原稿載置ガラスは前記空洞部の側面に備えられ、
前記第２の原稿載置ガラスの原稿載置面に面が当接するように移動可能な板状物が設けられることを特徴とする請求項１〜５のいずれかに記載の画像読取装置。
【発明の詳細な説明】
【技術分野】
【０００１】
本発明は、原稿載置ガラスに載置された原稿の画像を読み取る画像読取装置に関する。
【背景技術】
【０００２】
従来、原稿載置ガラスに載置された原稿の画像を読み取る、複写機、ファクシミリ装置又はスキャナ装置等の画像読取装置において、書籍等の見開き原稿を読み取る際には、人手、プラテンカバー、又はローラ等により原稿を原稿載置ガラスに押さえつけることにより、原稿面が原稿載置ガラスに、より平行かつ密着されるように載置し、これにより、原稿読み取りの歪みを減少させるようにしていた。
【０００３】
また、下記特許文献１には、ブック原稿（書籍等の見開き原稿）を開いて読み取りを行っても見開きのページの閉じ部分を障害なく読み取る機構及びその画像読取装置の制御方法として、原稿を載置する原稿載置ガラスを画像読取装置の端部にまで延長して、適用するブック原稿のノド部を当該画像読取装置の端部に合わせる画像読取装置、また、走査時の光学ユニット位置を調整してブック原稿の形成するノド部の隙間による読み取り対象面のズレを補正する画像読取装置及びその制御方法が記載されている。
【特許文献１】特開１９９８−２２１８９８号公報
【発明の開示】
【発明が解決しようとする課題】
【０００４】
しかしながら、上記従来の技術においては、平らな原稿載置ガラスに対して原稿のノド部にできる隙間を完全になくすように押さえつけることは略困難で、ローラ等により原稿を押さえつけることは安定性に欠き、また、原稿に無理な力を加えることにより原稿をいためてしまうことが多かった。
【０００５】
また、上記特許文献１に記載の技術においては、原稿の片側ページしか１度に読み取ることができず、両側ページを読み取るためには再度読み取りを行わねばならず、手間がかかった。
【０００６】
本発明は、上記の問題に鑑みて成されたもので、書籍等の見開き原稿の両側ページを一度の読み込みで簡単かつ正確に読み取ることのできる画像読取装置を提供することを目的とする。
【課題を解決するための手段】
【０００７】
請求項１に係る画像読取装置は、原稿載置ガラスに載置された原稿の画像を読み取る画像読取装置において、第１の原稿載置ガラスの一辺と第２の原稿載置ガラスの一辺とが当接又は近接され、第１の原稿載置ガラスと第２の原稿載置ガラスとは１８０度未満の角度をつくって備えられる２枚の原稿載置ガラスと、前記原稿載置ガラスの走査ラインに対して光を照射する発光手段と、前記発光手段の照射した光の原稿からの反射光を読み取る受光手段とを備えることを特徴とする。
【０００８】
請求項２に係る画像読取装置は、請求項１に記載の画像読取装置であって、前記発光手段及び前記受光手段は、画像読取装置の内部を、前記第１の原稿載置ガラスの副走査ラインと略平行に移動した後、前記第２の原稿載置ガラスの副走査ラインと略平行に移動する１つの筐体に設けられることを特徴とする。
【０００９】
請求項３に係る画像読取装置は、請求項２に記載の画像読取装置であって、前記筐体は、前記第１の原稿載置ガラスを走査するための前記発光手段及び前記受光手段、並びに前記第２の原稿載置ガラスを走査するための前記発光手段及び前記受光手段とを備えることを特徴とする。
【００１０】
請求項４に係る画像読取装置は、請求項２又は３に記載の画像読取装置であって、前記筐体は、前記第１の原稿載置ガラスに対する走査を終了した後、前記第２の原稿載置ガラスに対する走査に応じた角度に回転可能に設けられることを特徴とする。
【００１１】
請求項５に係る画像読取装置は、請求項２に記載の画像読取装置であって、前記筐体を２つ移動可能に備え、前記２つの筐体はそれぞれ前記第１及び第２の原稿載置ガラスを走査することを特徴とする。
【００１２】
請求項６に係る画像読取装置は、請求項１〜５のいずれかに記載の画像読取装置であって、前記第１の原稿載置ガラスの一辺に隣接させて、上に開いた空洞部を有し、前記第２の原稿載置ガラスは前記空洞部の側面に備えられ、前記第２の原稿載置ガラスの原稿載置面に面が当接するように移動可能な板状物が設けられることを特徴とする。
【発明の効果】
【００１３】
請求項１に記載の発明によれば、第１及び第２の２枚の原稿載置ガラスが、第１の原稿載置ガラスの一辺と第２の原稿載置ガラスの一辺とが当接又は近接され、第１の原稿載置ガラスと第２の原稿載置ガラスとが１８０度未満の角度をつくるように備えられ、原稿載置ガラスの走査ラインに対して発光手段により光が照射され、発光手段の照射した光の原稿からの反射光が受光手段により読み取られるので、書籍等の見開き原稿のノド部の内側が２つの原稿載置ガラスの接続（当接又は近接）部分にくるように原稿を載置することにより、見開き原稿の両側ページ全面を、より隙間なく原稿載置ガラスに載置することができ、ひいては書籍等の見開き原稿に対して歪みをより少なく読み込むことができる。また、一度の読取操作で見開き全体を読み取ることができるので、手間がかからない。
【００１４】
請求項２に記載の発明によれば、発光手段と受光手段は１つの筐体に備えられ、その筐体は画像読取装置の内部を、第１の原稿載置ガラスの副走査ラインと略平行に移動した後、第２の原稿載置ガラスの副走査ラインと略平行に移動するので、発光手段と受光手段は角度の異なる２つの原稿載置ガラスに対しても、発光手段と受光手段の間の光の走行距離及び走行経路を固定することができ、走査ラインに対する光の照射及びその反射光の受光を容易に行うことができる。
【００１５】
請求項３に記載の発明によれば、第１の原稿載置ガラスを走査するための発光手段及び受光手段と、第２の原稿載置ガラスを走査するための発光手段及び受光手段とが１つの筐体に備えられるので、設置角度の異なる２つの原稿載置ガラスに応じて筐体の回転位置を変えた場合にも、それぞれの原稿載置ガラスの接続部分に最も近くなるようにそれぞれの受光手段を配置することができるので、原稿載置ガラスの接続部分により近い位置まで原稿を読み取ることができる。
【００１６】
請求項４に記載の発明によれば、筐体は第１の原稿載置ガラスに対する走査を終了した後、回転することにより、第２の原稿載置ガラスに対する走査に応じた角度に位置付けされるので、設置角度の異なる２つの原稿載置ガラスに応じて、発光部及び受光部と走査ラインとの位置及び角度の関係を一定に保つようにすることができる。
【００１７】
請求項５に記載の発明によれば、第１及び第２の原稿載置ガラスが別々の筐体により走査されるので、各原稿載置ガラスを並行に走査することができ、各原稿載置ガラスに載置された原稿を同時に読み取ることができるので、より速く原稿の読み取りを行うことができる。
【００１８】
請求項６に記載の発明によれば、画像読取装置が第１の原稿載置ガラスの一辺に隣接させて有する、上に開いた空洞部の側面に第２の原稿載置ガラスが備えられ、第２の原稿載置ガラスの原稿載置面に面が当接するように移動可能な板状物が設けられるので、第２の原稿載置ガラスが例えば略鉛直等の、原稿が原稿載置ガラスに密着されにくい角度で備えらている場合に、原稿を第２の原稿載置ガラスに対して押さえつけることができ、原稿を容易に第２の原稿載置ガラスに密着させることができる。
【発明を実施するための最良の形態】
【００１９】
以下、本発明の一実施形態による画像読取装置としての複写機について図面を参照しながら説明する。
【００２０】
図１は複写機１の外観及び機構の概要を示す斜視図である。原稿載置ガラス２は略水平に設置され、原稿載置ガラス３は原稿載置ガラス２に対して略直角に、かつ接続部分４において各原稿載置ガラス２，３の一辺が当接又は近接されるように設置されている。この接側については後述する。空洞部５は原稿載置ガラス３に原稿を載置可能にするための上に開いた空洞領域である。プラテンカバー７は矢印７ａ方向に開閉可能に備えられ、原稿載置ガラス２に載置された原稿を押えるために使用される。側壁８は矢印８ａの方向に移動可能に設けられ、原稿載置ガラス３に載置された原稿を押えるために使用される。プラテンカバー及び側壁８の原稿載置ガラス２，３側には弾性体からなるクッション２１（図８参照）を備えることにより原稿を痛めることなく押えることができる。
【００２１】
光学ユニット６は発光部６１（図３参照）と受光部６２（図３参照）が一体化された、画像を読み取るための装置である。ここで、発光部６１は原稿載置ガラス２，３上に載置された原稿に対して原稿載置ガラス２，３を通して光を照射するためのものである。また、受光部６２は原稿からの反射光を受光することにより原稿の画像を読み取るものである。図１に図示された光学ユニット６は光学ユニット６が初期格納位置に位置付けされた様子を表している。
【００２２】
図２は原稿載置ガラス２と原稿載置ガラス３の接続の例を示す原稿載置ガラス２，３の側面断面図である。図２（ａ）の接続は原稿載置ガラス２の平面部の一端に原稿載置ガラス３の一辺の切断面を当接したものである。図２（ｂ）の接続は原稿載置ガラス２の一辺の切断面及び原稿載置ガラス３の一辺の切断面を原稿載置面に対して略４５度に切断し、それぞれの切断面を当接したものである。図２（ｃ）の接続は原稿載置ガラス２の一辺の切断面と原稿載置ガラス３の一辺の切断面とを仲介する接続枠４ａを設け、原稿載置ガラス２の一辺と原稿載置ガラス３の一辺とが直接接しない（近接する）ように接続したものである。
【００２３】
図３は光学ユニット６の外観及び構成の概略を示す斜視図で、（ａ）、（ｂ）、（ｃ）の３種類の例を示している。図３（ａ）に示すものは、１組の発光部６１及び受光部６２を備え、受光部６２が光学ユニットの（進行方向に対する）中心部に位置している。発光部６１は面６５（以下、Ａ面という。）側に対して光を照射し、受光部６２はＡ面６５側からその反射光を受光する。図３（ｂ）に示すものは、２組の発光部６１，６３及び受光部６２，６４を備え、２つの受光部６２，６４はそれぞれ光学ユニットの（進行方向に対する）両端に位置している。両発光部６１，６３はそれぞれＡ面６５側に対して光を照射し、両受光部６２，６４はＡ面６５側から対応する発光部（受光部６２に対して発光部６１、受光部６４に対して発光部６３）の照射した光の反射光を受光する。図３（ｃ）に示すものは、２組の発光部６１，６３及び受光部６２，６４を備え、２つの受光部６２，６４はそれぞれ光学ユニットの（進行方向に対する）一方端に位置している。発光部６１はＡ面６５側に対して光を照射し、受光部６２はＡ面６５側からその反射光を受光する。発光部６３は面６６（以下、Ｂ面という。）側に対して光を照射し、受光部６４はＢ面６６側からその反射光を受光する。
【００２４】
図４は原稿の読取動作中における図３（ｂ）に示す光学ユニット６の移動位置について示す複写機１（原稿載置ガラス２，３と光学ユニット６のみ）の側面断面図である。図４（ａ）〜（ｅ）の順で光学ユニット６の位置が時系列に示されている。図４（ａ）は光学ユニット６の初期格納位置を示す。原稿載置ガラス２の走査を開始するため、光学ユニット６は原稿載置ガラス２に平行に矢印６ａの方向に移動する。原稿載置ガラス２の走査には発光部６１と受光部６２を使用する。図４（ｂ）は原稿載置ガラス２の走査における光学ユニット６の終端位置を示す。この位置において光学ユニット６はＡ面６５側が原稿載置ガラス３に対面する位置まで矢印６ｂの方向に回転する（図４（ｃ））。図４（ｄ）は光学ユニット６の回転の終了位置で、かつ原稿載置ガラス３の走査開始位置を示す。原稿載置ガラス３の走査を開始するため、光学ユニット６は原稿載置ガラス３に平行に矢印６ｃの方向に移動する。原稿載置ガラス３の走査には発光部６３と受光部６４を使用する。図４（ｅ）は原稿載置ガラス３の走査における光学ユニット６を終端位置を示す。この位置において全走査を終了する。図３（ａ）に示す光学ユニット６の移動も図４に示すものと同様である。
【００２５】
図５は原稿の読取動作中における図３（ｃ）に示す光学ユニット６の移動位置について示す複写機１（原稿載置ガラスと光学ユニットのみ）の側面断面図である。この例においては光学ユニット６は後述する枠９に設置されており、枠９は図４の例における光学ユニット６と同様の方法で移動される。図５（ｃ）においては枠９は図４（ｃ）における光学ユニット６の回転と同様に矢印６ｂ（図４（ｃ）参照）の方向に略９０度回転する。このとき光学ユニット６は、枠９に備えられるステッピングモータ９８（図７参照）により枠９の回転と反対側（矢印６ｄの方向）に枠９に対し略１８０度回転する。これにより光学ユニット６は複写機１に対して矢印６ｄの方向に略９０度回転することとなる。この例において、原稿載置ガラス２の走査には発光部６１と受光部６２を使用し、原稿載置ガラス３の走査には発光部６３と受光部６４を使用する。
【００２６】
図６は図４に示す光学ユニット６又は図５に示す枠９の移動機構を示す側面断面図である。光学ユニット６又は枠９の側面に設けられた２本のアーム９１，９２（図７参照）のそれぞれに、１本のワイヤ９３の各終端部がそれぞれ接続され、このワイヤ９３の作る輪は滑車９４と滑車９７に架け渡される。滑車９４と滑車９７の途中には光学ユニット６又は枠９を水平移動から鉛直移動に変えるための滑車９５及び滑車９６が設けられ、ワイヤは滑車９５，９６の上側に掛け渡される。これにより、ワイヤ９３は原稿載置ガラス２付近では水平方向に、原稿載置ガラス３付近では鉛直方向に張られることとなり、光学ユニット６は原稿載置ガラス２に沿って水平に移動した後、原稿載置ガラス３に沿って鉛直に移動する。この機構は光学ユニット６の両側面に設けられる。複写機１本体に光学ユニット６の移動をガイドするガイドレールを設けることにより、光学ユニット６の移動位置を安定させることができる。
【００２７】
図７は図５に示す光学ユニット６及び枠９並びに図６に示すワイヤ９３及び滑車９５の外観の概要を示す斜視図である。ステッピングモータ９８は光学ユニット６を枠９に対して回転させるための駆動源となるものである。これにより光学ユニット６は枠９の回転と反対側に回転することができる。図４に示す光学ユニット６の場合には、枠９及びステッピングモータ９８は必要なく、光学ユニット６に直接アーム９１，９２が備えられる。
【００２８】
図８は複写機１において書籍２０を原稿として原稿載置ガラス２，３に載置した場合の複写機１及び原稿２０の載置場所付近における側面断面図である。複写を行う書籍２０の見開きの片側ページが原稿載置ガラス２に他方側ページが原稿載置ガラス３に載置されるよう書籍のノド部の内側が原稿載置ガラス２と原稿載置ガラス３の接続部分４に合わさるように書籍２０を載置する。通常の複写機においては１枚板の原稿載置ガラスに書籍２０の見開きページを載置するため、書籍２０のノド部と原稿載置ガラスの間に隙間ができるが、本実施形態における複写機１においてはノド部と原稿載置ガラスの間にはほとんど隙間ができない。
【００２９】
図９は本発明に係る複写機１における電気的な機能構成を示すブロック図である。複写機は操作部１１、光学ユニット位置駆動部１２、光学ユニット部６、画像メモリ部１４、制御部１５及び印刷部１６を備える。光学ユニット部６は２組の発光部６１，６３及び受光部６２，６４を備える。制御部１５は読取制御部１５１及び印刷制御部１５２を備える。
【００３０】
操作部１１は複写機１に対するユーザによる指示の入力及び複写機からユーザに対するメッセージ等の出力のためのもので、例えば複写機１に備えられる操作パネルである。操作部１１はディスプレイ並びに、テンキー及びスタートキー等の複数の操作キーを備える。本実施形態において操作部１１はユーザによる複写開始指示の入力に使用される。光学ユニット位置駆動部１２は光学ユニットの位置（移動）及び回転の駆動源で、例えば滑車９４を回転させるステッピングモータ（図示せず）及び光学ユニットを回転させるステッピングモータ９８（図７参照）である。光学ユニット位置駆動部１２は読取制御部１５１からの指示に従い光学ユニット６の移動及び回転を行う。
【００３１】
光学ユニット部６は図１に示す光学ユニット６で、発光部６１、受光部６２、発光部６３及び受光部６４はそれぞれ図３（ｂ）、図３（ｃ）に示す発光部６１、受光部６２、発光部６３及び受光部６４である。発光部６１、受光部６２、発光部６３及び受光部６４はそれぞれ読取制御部１５１の指示に従い発光、及び受光を行う。受光部６２及び受光部６４はそれぞれ１つの走査ラインを読む（受光する）ごとに受光した光の情報を画像データとして画像メモリ部１４の読み取った走査ラインに対応するアドレスに格納する。
【００３２】
画像メモリ部１４は例えばＲＡＭ等により構成される記憶装置である。受光部６２及び受光部６４により画像データが格納され、印刷時に印刷部１６により画像データが読み出される。印刷部１６は画像メモリ部１４に格納されている画像データを記録紙に印刷するもので、印刷制御部１５２の指示に従い印刷を行う。
【００３３】
制御部１５は例えばＣＰＵ、ＲＯＭ及びＲＡＭ等により構成されるもので、複写機１全体の制御を行う。操作部１１から複写開始指示の入力を受け付けた旨を受信するとまず、読取制御部１５１が起動される。読取制御部１５１は光学ユニット位置駆動部１２に対して例えばステッピングモータの所定ステップの回転を指示すると共に、発光部６１及び受光部６２、又は発光部６３及び受光部６４に対して発光及び受光を指示することにより全走査ラインに対する画像の読み込みを行わせる。読取制御部１５１は全走査ラインの読み取りが終了したら、印刷制御部１５２に対して印刷を開始することを指示する。
【００３４】
印刷制御部１５２は読取制御部１５１から印刷開始の指示を受けたら印刷部１６に印刷を指示する。印刷部１６は印刷制御部１５２から印刷を指示を受けたら、画像メモリ部１４に格納されている画像データを読み出し、その画像を記録紙に印刷する。
【００３５】
図１０は複写機１における複写制御の処理の流れを示すフローチャートである。光学ユニット６の移動動作は図５の例に基づく。フローチャートに示す処理の開始時には、書籍等の原稿が図８に示すように既に原稿載置ガラス２，３に載置されているものとする。
【００３６】
ステップＳ１では、読取制御部１５１は原稿載置ガラス２側の走査ライン番号ＬＡ及び原稿載置ガラス３側の走査ライン番号ＬＢをそれぞれ「０」を代入することにより初期化する。ステップＳ３では、操作部１１はユーザによる複写開始指示の入力を受け付けるまで（ステップＳ３でＮＯ）複写開始指示の入力があったか否かをチェックする。複写開始指示の入力を受け付けた場合には（ステップＳ３でＹＥＳ）、ステップＳ５へ進む。
【００３７】
ステップＳ５では、読取制御部１５１は走査ライン番号ＬＡをインクリメントする。ステップＳ７では、読取制御部１５１は光学ユニット位置駆動部１２の位置移動用のステッピングモータを１走査ライン分回転させることにより走査ライン番号ＬＡの位置に光学ユニット６を移動させる。ステップＳ９では、読取制御部１５１は発光部６１を発光させてＬＡ番の走査ラインに対して照射させる。ステップＳ１１では、読取制御部１５１は受光部６２にＬＡ番の走査ラインからの反射光を読み取らせる。
【００３８】
ステップＳ１３では、受光部６２は読み取った情報をＬＡ番の走査ラインの画像データとして画像メモリ部１４に格納する。ステップＳ１５では、読取制御部１５１は走査ライン番号ＬＡが原稿載置ガラス２側の最大走査ライン番号であるＬＡｍａｘ以上か否かをチェックする。走査ライン番号ＬＡが最大走査ライン番号ＬＡｍａｘより小さければ（ステップＳ１５でＮＯ）、ステップＳ５へ戻り次の走査ラインの読み取りを行う。走査ライン番号ＬＡが最大走査ライン番号ＬＡｍａｘ以上であれば（ステップＳ１５でＹＥＳ）原稿載置ガラス２側の走査ラインは全て走査し終えたということなので、ステップＳ１７へ進む。
【００３９】
ステップＳ１７では、読取制御部１５１は光学ユニット位置駆動部１２の位置移動用のステッピングモータを枠９が９０度回転する分回転させると共に、回転用のステッピングモータ９８を光学ユニット６が１８０度回転する分回転させることにより、全体として光学ユニット６を複写機１に対して略９０度回転させて光学ユニット６のＢ面６６側が原稿載置ガラス３側を向くようにする。
【００４０】
ステップＳ１９では、読取制御部１５１は走査ライン番号ＬＢをインクリメントする。ステップＳ２１では、読取制御部１５１は光学ユニット位置駆動部１２の位置移動用のステッピングモータを１走査ライン分回転させることにより走査ライン番号ＬＢの位置に光学ユニット６を移動させる。ステップＳ２３では、読取制御部１５１は発光部６３を発光させてＬＢ番の走査ラインに対して照射させる。ステップＳ２５では、読取制御部１５１は受光部６４にＬＢ番の走査ラインからの反射光を読み取らせる。
【００４１】
ステップＳ２７では、受光部６４は読み取った情報をＬＢ番の走査ラインの画像データとして画像メモリ部１４に格納する。ステップＳ２９では、読取制御部１５１は走査ライン番号ＬＢが原稿載置ガラス２側の最大走査ライン番号であるＬＢｍａｘ以上か否かをチェックする。走査ライン番号ＬＢが最大走査ライン番号ＬＢｍａｘより小さければ（ステップＳ２９でＮＯ）、ステップＳ１９へ戻り次の走査ラインの読み取りを行う。走査ライン番号ＬＢが最大走査ライン番号ＬＢｍａｘ以上であれば（ステップＳ２９でＹＥＳ）原稿載置ガラス３側の走査ラインは全て走査し終えたということなので、ステップＳ３１へ進む。
【００４２】
ステップＳ３１では、読取制御部１５１は光学ユニット位置駆動部１２の位置移動用のステッピングモータと回転用のステッピングモータを制御して、光学ユニット６を初期格納位置に戻す。ステップＳ３３では、印刷制御部１５２は印刷を行うことを印刷部１６に指示し、印刷部は画像メモリに格納された画像データを取得して印刷する。
【００４３】
このように本実施形態によれば、原稿載置ガラス２枚を略９０度の角度で接するように設置し、光学ユニットを上記の２枚の原稿載置ガラスに沿って移動させ、原稿載置ガラスに載置された原稿の画像を読み取るようにしたので、多数の原稿が一方端で閉じられた書籍等の見開き面を印刷するような場合に、そのノド部を原稿載置ガラスの角（２枚の接続部）にくるように載置することにより、ノド部に隙間を設けることなく原稿を原稿載置ガラスに載置することができるので、ノド部付近の画像を略歪みなく印刷することができるとともに原稿をむりに押さえつける必要がないので、原稿を痛めることがない。また、略９０度の角度で設けた２枚の原稿載置ガラスの両方を連続して光学ユニットにより読み取るので、書籍等の原稿の見開きページの両方を一回の読取操作で読み取ることができる。
【００４４】
次に本発明の第２の実施形態について図面を参照しながら説明する。第２の実施形態における画像読取装置としての複写機は、設置角度の異なる各原稿載置ガラス用に１つずつ光学ユニットを設け、各光学ユニットを同時に作動させることにより両方の原稿載置ガラスの原稿を並行して読み取るようにしたものである。以下、第１の実施形態と同様の部分については説明を省き、第１の実施形態と異なる部分のみについて説明を行う。
【００４５】
図１１は本実施形態による画像読取装置である複写機１の外観及び機構の概要を示す斜視図である。第１の実施形態による複写機１との相違は、光学ユニット６０１の他にもう一つの光学ユニット６０２が設置されることである。光学ユニット６０１は原稿載置ガラス２に載置された原稿の画像を読み取るもので、原稿載置ガラス２の一方端から他端まで原稿載置ガラス２に沿って矢印６０ａの方向に移動し、光学ユニット６０２は原稿載置ガラス３に載置された原稿の画像を読み取るもので、原稿載置ガラス３の一方端から他端まで原稿載置ガラス３に沿って矢印６０ｃの方向に移動する。光学ユニット６０１及び光学ユニット６０２は並行に動作することが可能であるため原稿載置ガラス２の原稿と原稿載置ガラス３の原稿の読み取りを同時に行うことができ、全体の読取時間が短縮できる。
【００４６】
図１２は光学ユニット６０１及び６０２の外観及び構成の概略を示す斜視図である。光学ユニット６０１（６０２）はＡ面６５側を照射するための発光部６１１（６１２）、Ａ面６５側から受光するための受光部６２１（６２２）を備える。光学ユニット６０１は原稿載置ガラス２にＡ面６５を対面させて、光学ユニット６０２は原稿載置ガラス３にＡ面６５を対面させて備えられる。
【００４７】
図１３は本実施形態による複写機１における機能構成を示すブロック図である。複写機１は操作部１１、第１光学ユニット位置駆動部１２１、第２光学ユニット位置駆動部１２２、第１光学ユニット部６０１、第２光学ユニット部６０２、画像メモリ部１４、制御部１５’及び印刷部１６を備える。第１光学ユニット部６０１は発光部６１１及び受光部６２１を備える。第２光学ユニット部６０２は発光部６１２及び受光部６２２を備える。制御部１５’は読取制御部１５１’及び印刷制御部１５２を備える。ここで、第１の実施形態と異なるのは、第１光学ユニット位置駆動部１２１、第２光学ユニット位置駆動部１２２、第１光学ユニット部６０１、第２光学ユニット部６０２及び読取制御部１５１’であるので以下にこれらについて説明する。
【００４８】
第１光学ユニット位置駆動部１２１及び第２光学ユニット位置駆動部１２２は例えばステッピングモータ（図示せず）によりそれぞれ第１光学ユニット６０１及び第２光学ユニット６０２の位置を例えば滑車及びワイヤにより移動させるための駆動源である。
【００４９】
第１光学ユニット部６０１は図１１に示す光学ユニット６０１で、発光部６１１及び受光部６２１はそれぞれ図１２に示す発光部６１１及び受光部６２１である。発光部６１１及び受光部６２１はそれぞれ読取制御部１５１’の指示に従い発光及び受光を行う。受光部６２１は１つの走査ラインを読む（受光する）ごとに受光した光の情報を画像データとして画像メモリ部１４の読み取った走査ラインに対応するアドレスに格納する。
【００５０】
第２光学ユニット部６０２は図１１に示す光学ユニット６０２で、発光部６１２及び受光部６２２はそれぞれ図１２に示す発光部６１２及び受光部６２２である。発光部６１２及び受光部６２２はそれぞれ読取制御部１５１’の指示に従い発光及び受光を行う。受光部６２２は１つの走査ラインを読む（受光する）ごとに受光した光の情報を画像データとして画像メモリ部１４の読み取った走査ラインに対応するアドレスに格納する。
【００５１】
読取制御部１５１’は２つの光学ユニット（第１光学ユニット６０１及び第２の光学ユニット６０２）を制御することが第１の実施形態と比較して異なる。読取制御部１５１’は第１光学ユニット位置駆動部１２１に対して光学ユニット６０１の位置を移動させるために（ステッピングモータの）回転を指示すると共に、これと並行に第２光学ユニット位置駆動部１２２に対して光学ユニット６０２の位置を移動させるために（ステッピングモータの）回転を指示する。また、読取制御部１５１’は第１光学ユニット部６０１の発光部６１１及び受光部６２１、並びに第２光学ユニット部６０２の発光部６１２及び受光部６２２に対して発光及び受光を指示することにより原稿載置ガラス２及び原稿載置ガラス３の走査ラインに対する画像の読み込みを並行に行わせる。
【００５２】
図１４は本実施形態による複写機１における複写制御の処理の流れを示すフローチャートである。フローチャートに示す処理の開始時には、書籍等の原稿が図８に示すように既に原稿載置ガラス２，３に載置されているものとする。
【００５３】
ステップＳ４１では、読取制御部１５１’は原稿載置ガラス２側の走査ライン番号ＬＡ及び原稿載置ガラス３側の走査ライン番号ＬＢをそれぞれ０を代入することにより初期化する。ステップＳ４３では、操作部１１はユーザによる複写開始指示の入力を受け付けるまで（ステップＳ４３でＮＯ）複写開始指示の入力があったか否かをチェックする。複写開始指示の入力を受け付けた場合には（ステップＳ４３でＹＥＳ）、ステップＳ４５及びステップＳ５７へ進む。ステップＳ４５からステップＳ５５までとステップＳ５７からステップＳ６７までは並行に行われる。
【００５４】
ステップＳ４５では、読取制御部１５１’は走査ライン番号ＬＡをインクリメントする。ステップＳ４７では、読取制御部１５１’は第１光学ユニット位置駆動部１２１の位置移動用のステッピングモータを１走査ライン分回転させることにより走査ライン番号ＬＡの位置に光学ユニット６０１を移動させる。ステップＳ４９では、読取制御部１５１’は発光部６１１を発光させてＬＡ番の走査ラインに対して照射させる。ステップＳ５１では、読取制御部１５１’は受光部６２１にＬＡ番の走査ラインからの反射光を読み取らせる。
【００５５】
ステップＳ５３では、受光部６２１は読み取った情報をＬＡ番の走査ラインの画像データとして画像メモリ部１４に格納する。ステップＳ５５では、読取制御部１５１’は走査ライン番号ＬＡが原稿載置ガラス２側の最大走査ライン番号であるＬＡｍａｘ以上であるか否かをチェックする。走査ライン番号ＬＡが最大走査ライン番号ＬＡｍａｘより小さければ（ステップＳ５５でＮＯ）、ステップＳ４５へ戻り次の走査ラインの読み取りを行う。走査ライン番号ＬＡが最大走査ライン番号ＬＡｍａｘ以上であれば（ステップＳ５５でＹＥＳ）原稿載置ガラス２側の走査ラインは全て走査し終えたということなので、ステップＳ６９へ進む。
【００５６】
一方、ステップＳ５７では、読取制御部１５１’は走査ライン番号ＬＢをインクリメントする。ステップＳ５９では、読取制御部１５１’は第２光学ユニット位置駆動部１２２の位置移動用のステッピングモータを１走査ライン分回転させることにより走査ライン番号ＬＢの位置に光学ユニット６０２を移動させる。ステップＳ６１では、読取制御部１５１’は発光部６１２を発光させてＬＢ番の走査ラインに対して照射させる。ステップＳ６３では、読取制御部１５１’は受光部６２２にＬＢ番の走査ラインからの反射光を読み取らせる。
【００５７】
ステップＳ６５では、受光部６２２は読み取った情報をＬＢ番の走査ラインの画像データとして画像メモリ部１４に格納する。ステップＳ６７では、読取制御部１５１’は走査ライン番号ＬＢが原稿載置ガラス３側の最大走査ライン番号であるＬＢｍａｘ以上であるか否かをチェックする。走査ライン番号ＬＢが最大走査ライン番号ＬＢｍａｘより小さければ（ステップＳ６７でＮＯ）、ステップＳ５７へ戻り次の走査ラインの読み取りを行う。走査ライン番号ＬＢが最大走査ライン番号ＬＢｍａｘ以上であれば（ステップＳ６７でＹＥＳ）原稿載置ガラス３側の走査ラインは全て走査し終えたということなので、ステップＳ６９へ進む。
【００５８】
ステップＳ６９では、読取制御部１５１’はステップＳ５５でＬＡがＬＡｍａｘ以上で（ステップＳ５５でＹＥＳ）かつステップＳ６７でＬＢがＬＢｍａｘ以上（ステップＳ６７でＹＥＳ）になるまで待つ（ステップＳ６９でＮＯ）。ＬＡがＬＡｍａｘ以上で（ステップＳ５５でＹＥＳ）かつＬＢがＬＢｍａｘ以上（ステップＳ６７でＹＥＳ）になったならば（ステップＳ６９でＹＥＳ）、両光学ユニット６０１，６０２において全走査ラインの読み取りが終了したということなので、ステップＳ７１へ進む。
【００５９】
ステップＳ７１では、読取制御部１５１’は第１光学ユニット位置駆動部１２１のステッピングモータ及び第２光学ユニット位置駆動部１２２のステッピングモータを制御して第１光学ユニット６０１及び第２光学ユニット６０２を初期格納位置に戻す。ステップＳ７３では、印刷制御部１５２は印刷を行うことを印刷部１６に指示し、印刷部１６は画像メモリ部１４に格納された画像データを取得して印刷する。
【００６０】
このように本実施形態によれば、原稿載置ガラス２枚を略９０度の角度で接するように設置し、光学ユニットを各原稿載置ガラス用に２つ備え、各光学ユニットを上記の２枚の各原稿載置ガラスに沿ってそれぞれ移動させるようにし、原稿載置ガラスに載置された原稿の画像を読み取るようにしたので、両原稿載置ガラスにまたがる書籍等の見開き原稿を印刷するような場合に、その両ページを並行して読み取ることができるので、書籍等の原稿の見開きページの両方を同時に読み取ることができ、より速く読み取ることができる。
【００６１】
なお、本発明は、上記実施形態のものに限定されるものではなく、以下に述べる態様を採用することができる。例えば第１及び第２の実施形態においては、画像読取装置として複写機を例に取り説明したが、これは原稿載置ガラスに載置された原稿の画像を読み取る処理を有する装置であれば、例えばスキャナ装置、ファクシミリ装置等であってもよい。
【００６２】
また、第１及び第２の実施形態においては、一方の原稿載置ガラスは略水平に設置され、他方の原稿載置ガラスはこれと略垂直に設置されたが、両原稿載置ガラス間の設置角度は必ずしも略垂直である必要はなく、（装置内部側に）１８０度未満の角度であればよく、例えば１１０度であってもよい。また、一方の原稿載置ガラスが略水平又は略鉛直である必要はない。例えば一方の原稿載置ガラスが略水平で、他方の原稿載置ガラスがこれに対して（装置内部側に）約１１０度で設置されている場合のように、原稿載置ガラスの設置角度によっては重力等により側面（水平でない側）の原稿載置ガラスにも原稿が密着しやすいので、側面の原稿載置ガラスに対する原稿押え機構は必ずしも必要でない。
【００６３】
第１及び第２の実施形態においては、発光部と受光部が１つの光学ユニットに備えられ、一緒に移動するが、発光部と受光部は必ずしも１つの筐体（光学ユニット）に備えられる必要はなく、また、一緒に移動する必要はない。例えば、受光部は固定させて発光部のみを異動させ、鏡を適切な位置及び向きに移動させることにより、原稿からの反射光が受光部に送られるようにしてもよい。
【００６４】
第１の実施形態においては、一方の原稿載置ガラスの走査を終了した後、他方の原稿載置ガラスの走査に応じた方向に発光部及び受光部が向くように光学ユニットを回転させたが、２組の発光部及び受光部をそれぞれ各原稿載置ガラスの走査に応じた方向に向いた角度で光学ユニットに備え付けておけば、必ずしも光学ユニットを回転させる必要はない。
【００６５】
第１及び第２の実施形態においては、鉛直に備えられた原稿載置ガラスに原稿を載置するために複写機が有する空洞部の、原稿載置ガラスに対面する側壁を原稿載置ガラスに当接できるように移動可能に設けることにより、原稿押え機能を実現したが、前記側壁は固定して備え、原稿載置ガラスに当接できるように移動可能な板状物（原稿押え板）を前記側壁の内側（原稿載置ガラスと対面する側）に備えるようにしてもよい。また、この場合、バネ等の弾性体を介して原稿押え板を前記側壁に固定し、弾性体の弾性力により原稿押え板が原稿を押えるようにするとよい。
【００６６】
第１の実施形態においては、光学ユニットをまず水平移動させ、水平移動の終端位置において９０度回転させた後に鉛直移動させる機構を、滑車とワイヤを用いて実現させたが、図４又は図５に示すように光学ユニットを移動及び回転させることができれば、必ずしも滑車とワイヤを用いる機構である必要はない。例えば、光学ユニットを鉛直に移動可能かつ回転可能に設ける第１の走行レール、及び第１の走行レール自体を水平方向に移動可能に設ける第２の走行レールを備え、光学ユニットを第１の走行レールに固定して、第１の走行レールを第２の走行レールに沿って移動させることで、光学ユニットを水平に移動させ、第１の走行レールに設けられた駆動源（例えばステッピングモータ）により光学ユニットを９０度回転させ、その後、光学ユニットを第１の走行レールに沿って移動させることで、光学ユニットを鉛直に移動させるような機構であってもよい。
【図面の簡単な説明】
【００６７】
【図１】本発明の一実施形態による画像読取装置としての複写機の外観及び機構の概要を示す斜視図である。
【図２】本発明の一実施形態による画像読取装置の２枚の原稿載置ガラスの接続を示す側面断面図で、（ａ）、（ｂ）、（ｃ）はそれぞれ異なる接続例である。
【図３】本発明の一実施形態による光学ユニットの外観及び構成の例を示す斜視図で、（ａ）は１組の発光部及び受光部を備えるもの、（ｂ）は２組の発光部及び受光部を備え両端に受光部を備えるもの、（ｃ）は２組の発光部及び受光部を備え一方端に２つの受光部を備えるものである。
【図４】本発明の一実施形態による画像読取装置における光学ユニットの移動の一例を示す側面断面図で、（ａ）は水平移動の開始位置、（ｂ）は水平移動の終了位置、（ｃ）は回転の途中位置、（ｄ）は鉛直移動の開始位置、（ｅ）は鉛直移動の終了位置である。
【図５】本発明の一実施形態による画像読取装置における光学ユニットの移動の他の例を示す側面断面図で、（ａ）は水平移動の開始位置、（ｂ）は水平移動の終了位置、（ｃ）は回転の途中位置、（ｄ）は鉛直移動の開始位置、（ｅ）は鉛直移動の終了位置である。
【図６】本発明の一実施形態による画像読取装置における光学ユニットの移動及び回転機構を示す側面断面図である。
【図７】本発明の一実施形態による画像読取装置における光学ユニットの回転機構の外観を示す斜視図である。
【図８】本発明の一実施形態による複写機に載置された書籍原稿を原稿押え機構により押えた場合を示す側面断面図である。
【図９】本発明の一実施形態による複写機の機能的構成を示すブロック図である。
【図１０】本発明の一実施形態による複写機における複写処理の流れを示すフローチャートである。
【図１１】本発明の第２の実施形態による画像読取装置としての複写機の外観及び機構の概要を示す斜視図である。
【図１２】本発明の第２の実施形態による光学ユニットの外観及び構成を示す斜視図である。
【図１３】本発明の第２の実施形態による複写機の機能的構成を示すブロック図である。
【図１４】本発明の第２の実施形態による複写機における複写処理の流れを示すフローチャートである。
【符号の説明】
【００６８】
１  複写機（画像読取装置）
２，３  原稿載置ガラス
８  板状物
６、６０１，６０２  光学ユニット
６１，６１１，６１２，６３  発光部（発光手段）
６２，６２１，６２２，６４  受光部（読取手段）
【図１】
2005221559.tif 000003
【図２】
2005221559.tif 000004
【図３】
2005221559.tif 000005
【図４】
2005221559.tif 000006
【図５】
2005221559.tif 000007
【図６】
2005221559.tif 000008
【図７】
2005221559.tif 000009
【図８】
2005221559.tif 000010
【図９】
2005221559.tif 000011
【図１０】
2005221559.tif 000012
【図１１】
2005221559.tif 000013
【図１２】
2005221559.tif 000014
【図１３】
2005221559.tif 000015
【図１４】
2005221559.tif 000016